(57)【要約】  【課題】  一目で何が調整されたかを明確に知ることが可能な映像信号発生装置を提供する。  【解決手段】  デジタル映像信号発生器２と、デジタル映像信号発生器のユーザー操作による映像調整を行う手段（１６，１５，１４，７）と、映像調整を行ったときの映像調整用パラメータを保存する保存手段（７，８，１７〜２２）と、デジタル映像信号発生器のその時点の映像調整用パラメータを取得する第１取得手段（７，８）と、保存手段で保存された映像調整用パラメータを取得する第２取得手段（２２，９）と、第１取得手段で取得したその時点の映像調整用パラメータと第２取得手段で取得した保存された映像調整用パラメータを比較する比較手段１０と、比較手段で比較した差異を抽出する手段（１１，１２）とを備えたことを特徴とする。【選択図】  図１
2005210454.tif 000002
【特許請求の範囲】
【請求項１】
デジタル映像信号発生器と、該デジタル映像信号発生器のユーザー操作による映像調整を行う手段と、該映像調整を行ったときの映像調整用パラメータを保存する保存手段と、該デジタル映像信号発生器のその時点の映像調整用パラメータを取得する第１取得手段と、前記保存手段で保存された映像調整用パラメータを取得する第２取得手段と、前記第１取得手段で取得したその時点の映像調整用パラメータと前記第２取得手段で取得した保存された映像調整用パラメータを比較する比較手段と、該比較手段で比較した差異を抽出する手段とを備えたことを特徴とする映像信号発生装置。
【請求項２】
デジタル映像信号発生器と、該デジタル映像信号発生器のユーザー操作による映像調整を行う手段と、該デジタル映像信号発生器から現在の映像調整用パラメータを取得する第１取得手段と、ネットワーク接続されている他の映像信号発生器の映像調整用パラメータを取得する第２取得手段と、前記第１取得手段で取得した現在の映像調整用パラメータと前記第２取得手段で取得したネットワーク接続されている他の映像信号発生器からの映像調整用パラメータを比較する比較手段と、該比較手段で比較した差異を抽出する手段とを備えたことを特徴とする映像信号発生装置。
【発明の詳細な説明】
【技術分野】
【０００１】
本発明は映像調整設定が可能な放送・制作用、産業用の映像信号発生装置に関する。
【背景技術】
【０００２】
放送・制作用及び産業用の映像信号発生装置は、スイッチやボタンにより、映像調整を行うことが可能である。特に、放送・制作用の映像信号発生装置の場合、放送グレードの画質が求められるため映像の微調整を行えるように、調整できるパラメータの数も多い。
【０００３】
まず、図５を使用して、従来の映像信号発生装置の構成を、カメラに用いた例として示す図であり、以下説明する（図５は文献公知発明に係るものではない）。
【０００４】
この映像信号発生装置１は、デジタル映像信号発生器２から出力される映像信号をＤ／Ａ変換器３により、デジタル信号からアナログ信号に変換する。このアナログ信号の出力系統は、映像出力用にバッファ６から出力される系と、映像調整用にメニューのキャラクタをＣｈａｒ  ＭＩＸ ４で重畳し、バッファ５から出力される系の２つの出力系統を持つ。
【０００５】
ユーザーＩ／Ｆ１６に入力された操作情報が操作情報取得器１５に入力されることで、新設定値器１４は新しいパラメータを作成する。ユーザーにより、新しいパラメータで調整を行う操作が行われた場合、操作情報取得器１５により、第１選択器１３を新設定値器１４側に切り替えることで、新しいパラメータをカメラ設定器７に入力し、デジタル映像信号発生器２を調整する。
【０００６】
この新しいパラメータはカメラ設定器７から設定値取得器８を経由し、ＣＧ制御器１１にも入力される。ＣＧ制御器１１はメニュー表示用のキャラクタ発生部であるＣＧ１２を制御することで、メニューのキャラクタを更新する。キャラクタ情報はＣｈａｒ  ＭＩＸ４に入力して、映像調整用のメニュー表示を更新する。
【０００７】
ユーザーがその時点のパラメータを保存する操作を行った場合、それらの情報がユーザーＩ／Ｆ１６から操作情報取得器１５に出力され、設定値保存器１７と第２選択器１８を制御することで、その時点のパラメータが第２選択器１８を経由し、第１設定値器１９、第２設定値器２０、第３設定値器２１のいずれかに保存される。
【０００８】
ユーザーの操作により、保存されたパラメータを読み出す場合、操作情報取得器１５が第２選択器１８を制御することで、第１設定値器１９、第２設定値器２０、第３設定値器２１のいずれかのパラメータを選択する。選択されたパラメータは保存値取得器９に入力され、操作情報取得器１５が第１選択器１３を制御することで保存値取得器９に切り替え、カメラ設定器７に選択されたパラメータを入力し、デジタル映像信号発生器２を保存されたパラメータで調整する。
【０００９】
なお、映像信号発生器を放送用映像システムに用いた例が、特許文献１に開示されている。
【００１０】
【特許文献１】特開２００２−７７８０２
【発明の開示】
【発明が解決しようとする課題】
【００１１】
放送・制作用及び産業用の映像信号発生装置は、スイッチやボタンにより、映像調整を行うことが可能である。特に、放送・制作用の映像信号発生装置の場合、放送グレードの画質が求められるため映像の微調整を行えるように、調整できるパラメータの数も多い。そのため、調整を行うためのメニューも複雑であり、一目では何が調整されたのかが解り難かった。
【００１２】
本発明の目的は、一目で何が調整されたかを明確に知ることが可能な映像信号発生装置を提供することにある。
【課題を解決するための手段】
【００１３】
本発明は、上記目的を達成するために、デジタル映像信号発生器と、該デジタル映像信号発生器のユーザー操作による映像調整を行う手段と、該映像調整を行ったときの映像調整用パラメータを保存する保存手段と、該デジタル映像信号発生器のその時点の映像調整用パラメータを取得する第１取得手段と、前記保存手段で保存された映像調整用パラメータを取得する第２取得手段と、前記第１取得手段で取得したその時点の映像調整用パラメータと前記第２取得手段で取得した保存された映像調整用パラメータを比較する比較手段と、該比較手段で比較した差異を抽出する手段とを備えたことを特徴とする。
【００１４】
また、本発明は、上記目的を達成するために、デジタル映像信号発生器と、該デジタル映像信号発生器のユーザー操作による映像調整を行う手段と、該デジタル映像信号発生器から現在の映像調整用パラメータを取得する第１取得手段と、ネットワーク接続されている他の映像信号発生器の映像調整用パラメータを取得する第２取得手段と、前記第１取得手段で取得した現在の映像調整用パラメータと前記第２取得手段で取得したネットワーク接続されている他の映像信号発生器からの映像調整用パラメータを比較する比較手段と、該比較手段で比較した差異を抽出する手段とを備えたことを特徴とする。
【発明の効果】
【００１５】
本発明によれば、一目で何が調整されたかを明確に知ることが可能な映像信号発生装置を得ることができる。
【発明を実施するための最良の形態】
【００１６】
図１は、本発明による映像信号発生装置の一実施の形態の構成を、カメラに用いた例として示す図であり、以下説明する。
【００１７】
図１において、図５と同一箇所に同一符号を付けた。図１は、図５に比べて、差分器１０、設定管理器２２、第２保存値取得器２３、第３選択器２４、タイマー２５を追加した。
【００１８】
ユーザーが映像調整用のパラメータの変更を行った場合、それらの情報がユーザーＩ／Ｆ１６から操作情報取得器１５を経由し、設定管理器２２に渡される。カメラのその時点の映像調整用パラメータはカメラ設定器７から設定値取得器８に入力され、設定値保存器１７に入力される。設定管理器２２は第２選択器１８を制御することで、タイマー２５の時間情報を付加して、設定値保存器１７のパラメータを第１設定値器１９に保存する。
【００１９】
さらに、ユーザーがパラメータの変更を行った場合、設定管理器２２が同様に第２選択器１８を制御することで、タイマー２５の時間情報を付加して、設定値保存器１７の新しく更新されたパラメータを第２設定値器２０に保存する。さらに、ユーザーがパラメータの変更を行った場合、設定管理器２２が同様に第２選択器１８を制御することで、タイマー２５の時間情報を付加して、設定値保存器１７の新しく更新されたパラメータを第３設定値器２１に保存する。
【００２０】
ユーザーが映像調整用のパラメータを変更する１つ前の状態に戻す操作を行った場合、ユーザーＩ／Ｆ１６から操作情報取得器１５に操作情報が伝わり、操作情報取得器１５から、第１設定値器１９のパラメータを読み出すように第２選択器１８を選択し、そのパラメータは設定管理器２２から保存値取得器９に入力される。操作情報取得器１５が第１選択器１３を制御することで、保存値取得器９側が選択され、そのパラメータはカメラ設定器７に入力されるため、デジタル映像信号発生器２が１つ前の状態に戻ることができる。
【００２１】
同様に２つ前、３つ前の状態に戻すことも、設定管理器２２が保存された順番を管理することで可能になる。
【００２２】
ユーザーが、第１設定値器１９に保存されている映像調整用パラメータと、その時点のカメラの映像調整用パラメータを比較したい場合、操作情報が操作情報取得器１５を経由し、設定管理器２２に入力される。設定管理器２２は第２選択器１８を制御することで、第１設定値器１９のパラメータを選択し、設定管理器２２を経由して、パラメータを保存値取得器９に入力する。そして、そのパラメータ値は差分器１０に入力される。
【００２３】
その時点のカメラのパラメータはデジタル映像信号発生器２から取得され、カメラ設定器７を経て、設定値取得器８に入力される。そして、操作情報取得器１５から第３選択器２４を制御することで、差分器１０に設定値取得器８を入力する。
【００２４】
その時点のカメラのパラメータと第１設定値器１９のパラメータの差異は、差分器１０でパラメータの差分を取ることで、パラメータの異なる部分のみが抽出される。抽出されたパラメータはＣＧ制御器１１に入力され、ＣＧ１２でパラメータの差異を示すキャラクタを生成し、Ｃｈａｒ  ＭＩＸ４に入力することでパラメータの差異を示すメニューを表示させる。
【００２５】
ユーザーが第２設定値器２０のパラメータと第３設定値器２１のパラメータを比較したい場合には、操作情報が操作情報取得器１５を経由し、設定管理器２２に入力される。設定管理器２２は第２選択器１８を制御することで、第２設定値器２０のパラメータを選択し、設定管理器２２を経由して、パラメータを保存値取得器９に入力する。そして、そのパラメータ値は差分器１０に入力される。
【００２６】
設定管理器２２は第２選択器１８を制御することで、第３設定値器２１のパラメータを選択する。第３設定値器２１のパラメータは設定管理器２２を経由して、第２保存値取得器２３に入力される。そして、操作情報取得器１５が第３選択器２４を制御することで、第２保存値取得器２３が選択され、差分器１０に第３設定値器２１のパラメータが入力される。
【００２７】
第２設定値器２０と第３設定値器２１のパラメータの差異はこれらのパラメータの差分を差分器１０で取ることで、パラメータの異なる部分のみが抽出される。抽出されたパラメータはＣＧ制御器１１に入力され、ＣＧ１２でパラメータの差異を示すキャラクタを生成し、Ｃｈａｒ  ＭＩＸ４に入力することでパラメータの差異を示すメニューを表示させる。
【００２８】
また、過去に保存されたパラメータを保存する第１設定値器１９、第２設定値器２０、第３設定値器２１は固定されたメモリーではなく、コンパクトフラッシュ（登録商標）などのリムーバルメディアに記録することで、ある撮影に使用したパラメータと別の撮影に使用したパラメータの差異がメディアを交換することで容易に比較する事が可能になる。
【００２９】
図２は、図１の本発明による映像信号発生装置の一実施の形態の構成によるメニュー画面の一例である。（a）はカメラ内に保存されたパラメータであるＳＣＥＮＥ１と、現在の設定値を比較したメニューであり、差異の有るメニューページ（図ではＦｕｎｃｔｉｏｎ１，Ｆｕｎｃｔｉｏｎ２，ＤＴＬ）とその異なる項目数を示してある。（ｂ）はより詳細な表示を行ったもので、括弧内がＳＣＥＮＥ１の設定値である。（ｃ）は通常のメニュー表示で、ＳＣＥＮＥ１と異なる項目を反転表示させたものである。（ｄ）は来歴を示すメニューで、過去に保存されたパラメータが時間情報を付加されて表示されている。６のＢａｃｋを選択すると、一つ前にパラメータを変更したときの状態に戻る。
【００３０】
図３は、本発明による映像信号発生装置の他の実施の形態の構成を、カメラに用いた例として示す図であり、以下説明する。
【００３１】
図１において、図５と同一箇所に同一符号を付けた。図１は、図５に比べて、差分器１０、第４選択器２６、ネットワークＩ／Ｆ２７、カメラ選択器２８、設定値要求送信器２９、他カメラ設定値受信器３０、設定値要求受信器３１、カメラ設定値送信器３２を追加した。
【００３２】
図３において、ユーザーが第１設定値器１９に保存されているパラメータと現在のカメラのパラメータを比較したい場合、操作情報取得器１５が第２選択器１８を制御することで、第１設定値器１９のパラメータを選択し、パラメータが保存値取得器９に入力される。さらに、操作情報取得器１５が第４選択器２６を制御することで、第４選択器２６が保存値取得器９側に切り替わり、保存されているパラメータは差分器１０に入力される。現在のカメラのパラメータはデジタル映像信号発生器２から取得され、カメラ設定器７を経て、設定値取得器８に入力される。
【００３３】
現在のカメラのパラメータと第１設定値器１９のパラメータの差異は設定値取得器８と保存値取得器９のパラメータの差分を差分器１０で取ることで、パラメータの異なる部分のみが抽出される。抽出されたパラメータはＣＧ制御器１１に入力され、ＣＧ１２でパラメータの差異を示すキャラクタを生成し、Ｃｈａｒ  ＭＩＸ４に入力することでパラメータの差異を示すメニューを表示させる。
【００３４】
本発明の映像信号発生装置はネットワークＩ／Ｆ２７を持っている。
【００３５】
もし、ユーザーがネットワークに接続されたカメラの映像調整用パラメータと現在の映像調整用パラメータを比較したい場合、ネットワークに接続された別のカメラの映像調整用パラメータを取得するために、操作情報取得器１５がカメラ選択器２８を制御することで、ネットワーク上のカメラを選択し、その情報を設定値要求送信器２９で、ネットワーク上のカメラに向けて、設定値を送信するように要求コマンドを発行する。
【００３６】
ネットワーク上のカメラがこのコマンドを受信すると、自分の映像調整用パラメータを送信する。そのため、他カメラ設定値受信器３０は映像調整用パラメータを受信する。ネットワーク上のカメラの映像調整用パラメータは、操作情報取得器１５が第４選択器２６を制御し、他カメラ設定値受信器３０に切り替えることで、ネットワーク上のカメラの映像調整用パラメータが差分器１０に入力される。
【００３７】
現在のカメラの映像調整用パラメータは設定値取得器８から、差分器１０に入力されるため、ネットワーク上のカメラの映像調整用パラメータとの差分値を抽出する。抽出されたパラメータはＣＧ制御器１１に入力され、ＣＧ１２でパラメータの差異を示すキャラクタを生成し、Ｃｈａｒ  ＭＩＸ４に入力することでパラメータの差異を示すメニューを表示させる。
【００３８】
また、ネットワーク上のカメラの映像調整用パラメータは第１選択器１３に入力されるため、ユーザーが操作することで、操作情報取得器１５が第１選択器１３を制御することで、他カメラ設定値受信器３０を選択することができる。そのため、ネットワーク上のカメラの映像調整用パラメータがカメラ設定器７に入力されるため、デジタル映像信号発生器２の映像調整用パラメータの設定値として使用することができる。
【００３９】
もし、ネットワーク上のカメラから、現在の映像調整用のパラメータが要求された場合、パラメータを要求するコマンドは設定値要求受信器３１で受信する。それがカメラ設定器値送信器３２に伝えられ、カメラ設定器値送信器３２はカメラの設定値である設定値取得器８から、現在のカメラにおける映像調整用のパラメータの設定値を取得し、ネットワークＩ／Ｆ２７からネットワーク上のカメラへ送信される。
【００４０】
図４は、図３の本発明による映像信号発生装置の他の実施の形態の構成によるメニュー画面の一例である。（a）はネットワーク上のカメラを示すメニューであり、カメラの名前、ＩＰアドレス、カメラの状態などを示している。（ｂ）はネットワーク上のカメラＢｏｂ  Ｃａｍと比較したもので、差異の有るメニューページ（図ではＦｕｎｃｔｉｏｎ１，Ｆｕｎｃｔｉｏｎ２，ＤＴＬ）とその異なる項目数を示してある。（ｃ）はより詳細な表示を行ったもので、括弧内がＢｏｂ  Ｃａｍの設定値である。（ｄ）は通常のメニュー表示で、Ｂｏｂ  Ｃａｍと異なる項目を反転表示させたものである。
【００４１】
以上説明したように、本発明の実施の形態によれば、デジタル映像信号発生器のその時点の映像調整用パラメータと過去に保存したパラメータと比較し、そのパラメータの異なる部分のみを抽出する手段を備え、メニュー表示させることで、一目で過去に保存したパラメータとの差異を明確にするので、一目で何が調整されたかを明確に知ることができる。
【００４２】
また、本発明の実施の形態によれば、映像調整用パラメータが変更されるとその値を保存する手段と、次に映像調整用パラメータが変更されると過去に保存されたパラメータを上書きせず別の位置に保存する手段と、映像調整用パラメータを保存した順番を管理する手段と、映像調整用パラメータを変更する前の状態に映像パラメータを戻す手段を備えたことで、来歴管理を行うことが可能になる。
【００４３】
また、本発明の実施の形態によれば、デジタル映像信号発生器の現在の映像調整用パラメータと、ネットワークに接続されている他の映像信号発生器からの映像調整用パラメータを比較し、そのパラメータの異なる部分のみを抽出する手段を備え、メニュー表示させることで、ネットワークに接続されている他の映像信号発生器からの映像調整用パラメータとの差異を明確にするので、一目で何が調整されたかを明確に知ることができる。
【００４４】
また、本発明の実施の形態によれば、ネットワークに接続されている他の映像信号発生器からの映像調整用パラメータを、デジタル映像信号発生器の映像調整用パラメータに設定することができる。
【００４５】
また、本発明の実施の形態によれば、ネットワークに接続されている他の映像信号発生器から要求があった場合は、現在のデジタル映像信号発生器の映像調整用のパラメータを送信することができる。
【図面の簡単な説明】
【００４６】
【図１】本発明による映像信号発生装置の一実施の形態の構成を、カメラに用いた例として示す図である。
【図２】図１の本発明による映像信号発生装置の一実施の形態の構成によるメニュー画面の一例を示す図である。
【図３】本発明による映像信号発生装置の他の実施の形態の構成を、カメラに用いた例として示す図である。
【図４】図１の本発明による映像信号発生装置の他の実施の形態の構成によるメニュー画面の一例を示す図である。
【図５】従来の映像信号発生装置の構成を、カメラに用いた例として示す図である。
【符号の説明】
【００４７】
１…映像信号発生装置、２…デジタル映像信号発生器、３…Ｄ／Ａ変換器、４…Ｃｈａｒ  ＭＩＸ、５…伝送用バッファ、６…伝送用バッファ、７…カメラ設定器、８…設定値取得器，９…保存値取得器、１０…差分器、１１…ＣＧ制御器、１２…ＣＧ、１３…第１選択器、１４…新設定値器、１５…操作情報取得器、１６…ユーザーＩ／Ｆ、１７…設定値保存器、１８…第２選択器、１９…第１設定値器、２０…第２設定値器、２１…第３設定値器、２２…設定管理器、２３…第２保存値取得器、２４…第３選択器、２５…タイマー、２６…第４選択器、２７…ネットワークＩ／Ｆ、２８…カメラ選択器、２９…設定値要求受信器、３０…他カメラ設定値受信器、３１…設定値要求受信器、３２…カメラ設定値送信器。
【図１】
2005210454.tif 000003
【図２】
2005210454.tif 000004
【図３】
2005210454.tif 000005
【図４】
2005210454.tif 000006
【図５】
2005210454.tif 000007